(57)【要約】【課題】番組情報から抽出された情報を特定できるようにする。【解決手段】放送局１から送信される主情報と副情報とからなる番組情報の副情報に識別情報を付加して送信する。受信機２では、副情報のうち特定の副情報を抽出し、この副情報とともに識別情報を記憶する。ユーザは、この識別情報に受信機情報や利用者情報等をさらに加えてネットワーク接続装置３からネットワークを介してサーバ４に送信する。サーバ４は、放送局１から送信された識別情報とユーザによってネットワーク接続装置３から送信された識別情報とを照合する。【選択図】図１
2005045617.tif 000002
【特許請求の範囲】
【請求項１】
放送局から主情報と該主情報に付随する副情報が送信され、受信装置でこれらの情報を受信する放送システムにおいて、
上記放送局の送信装置は、
上記副情報に該情報を特定する識別情報を付加する識別情報付加手段と、
上記主情報及び上記識別情報が付加された副情報を番組として送信する送信手段と
を備え、
上記受信装置は、
上記番組を受信する受信手段と、
上記副情報のうち特定の副情報を抽出する抽出手段と、
上記抽出手段にて抽出された副情報を記憶する記憶手段と、
上記抽出された特定の副情報及び該副情報に付加される識別情報を他の機器に転送する転送手段と
を備え、
上記受信装置から上記特定の副情報及び該副情報に付加される識別情報を取得する取得手段と、
ネットワークを介して上記識別情報を外部に送信する識別情報送信手段と
を備えるネットワーク接続装置と、
上記ネットワーク接続装置から上記識別情報を受信する識別情報受信手段と、
上記識別情報受信手段で受信した上記識別情報を上記放送局にて送信された副情報に付加された識別情報と照合する照合手段と
を備える情報処理装置と
からなることを特徴とする放送システム。
【請求項２】
上記ネットワーク接続装置は、
登録番号、受信エリア、趣味を含む利用者情報及び／又は受信装置の製造番号を含む受信装置情報を付加する情報付加手段を備え、
上記ネットワークを介して上記利用者情報及び／又は上記受信装置情報を情報処理装置に送信し、
上記情報処理装置は、
上記ネットワークを介して上記利用者情報及び／又は上記受信装置情報を受信し、
上記利用者情報及び／又は上記受信装置情報を登録する登録手段を備える
ことを特徴とする請求項１記載の放送システム。
【請求項３】
上記受信装置の記憶手段は、着脱可能な記録媒体であって、
上記ネットワーク接続装置の取得手段は、上記記録媒体を装着し、上記識別情報が付加された副情報を取得することを特徴とする請求項１記載の放送システム。
【請求項４】
上記副情報は文字情報であることを特徴とする請求項１記載の放送システム。
【請求項５】
放送局にて送信される主情報と該主情報に付随する副情報とを受信する受信装置において、
上記主情報と識別情報が付加された副情報を受信する受信手段と、
上記副情報のうち特定の副情報を抽出する抽出手段と、
上記抽出手段にて抽出された副情報を記憶する記憶手段と、
上記抽出された特定の副情報及び該副情報に付加される識別情報を他の機器に転送する転送手段と
を備える
ことを特徴とする受信装置。
【請求項６】
上記記憶手段は、着脱可能な記録媒体であることを特徴とする請求項５記載の受信装置。
【請求項７】
ネットワークに接続される情報処理装置において、
ネットワークを介して識別情報を受信する識別情報受信手段と、
上記識別情報受信手段で受信した上記識別情報を放送局にて送信された副情報に付加された識別情報と照合する照合手段と
を備える
ことを特徴とする情報処理装置。
【請求項８】
登録番号、受信エリア、趣味を含む利用者情報及び／又は受信装置の製造番号を含む受信装置情報が付加されて送信された際には、上記利用者情報及び／又は上記受信装置情報を受信し、上記利用者情報及び／又は上記受信装置情報を登録する登録手段を備える
ことを特徴とする請求項７記載の情報処理装置。
【発明の詳細な説明】
【技術分野】
【０００１】
本発明は、情報を特定することができる放送システム、受信装置及び情報処理装置に関する。
【背景技術】
【０００２】
ディジタルラジオ放送、ＦＭ文字多重放送等では、従来の音声に加えて文字テキストによる番組放送が行われている。これらの放送形態では、主情報としての音声に加えて文字テキスト等の副情報を用いて番組を構成することで、様々な情報サービスを提供することができる。例えば、放送局による懸賞応募の場合について説明する。放送局は、応募情報として応募先の住所や電話番号等を視聴者に提供する。そして、視聴者は受信機に表示された応募情報を見て、葉書等に必要事項を記入し、郵便により送付するのが一般的である。この場合、視聴者にとって手間がかかり、また、放送局では、応募してきた視聴者の特徴等を集計してこれらのデータを別の用途に有効に活用しようとしても、例えば、これらの情報をいったん電子データにする必要があり、煩わしいものである。
【０００３】
そこで、双方向性の情報提供サービスを実現するため、放送受信装置が番組から送られた文字情報を記憶し、電話機を用いて簡単に番組にアクセスできるようなシステムが提案されている（例えば、特許文献１参照。）。
【０００４】
一方、近年ではインターネットによる双方向性のネットワークが普及しており、このネットワークに接続する通信機能を備えた受信装置が提供されている。
【０００５】
【特許文献１】特開平１０−１３５９２１号公報
【発明の開示】
【発明が解決しようとする課題】
【０００６】
しかしながら、ネットワークを介して双方向性の通信をする際、視聴者から送られる番組情報を識別するのが困難であり、また、番組情報を受信した視聴者を特定するのも困難である。
【０００７】
そこで本発明は、上記問題点を解決するためになされたものであり、番組情報から抽出された情報を特定できる放送システム、受信装置及び情報処理装置を提供することを目的とする。
【課題を解決するための手段】
【０００８】
上述した目的を達成するために、本発明に係る放送システムは、放送局から主情報と該主情報に付随する副情報が送信され、受信装置でこれらの情報を受信する放送システムにおいて、放送局の送信装置では、識別情報付加手段において副情報に該情報を特定する識別情報を付加し、送信手段において主情報及び識別情報が付加された副情報を送信し、受信装置では、主情報と識別情報が付加された副情報を受信し、抽出手段において副情報のうち特定の副情報を抽出し、この副情報を記憶手段に記憶するとともに特定の副情報をネットワークを介して情報処理装置に転送する。このとき、受信装置から識別情報が付加された副情報を取得する取得手段を備えたネットワーク接続装置を用いる。ネットワーク接続装置は、副情報に付加された識別情報を、ネットワークを介して情報処理装置に送信する。情報処理装置では、識別情報受信手段にて識別情報を受信し、照合手段よって、受信した識別情報と放送局にて送信された副情報に付加された識別情報とを照合する。
【０００９】
ここで、ネットワーク接続装置は、登録番号、受信エリア、趣味を含む利用者情報及び／又は受信装置の製造番号を含む受信装置情報を付加する情報付加手段を備え、ネットワークを介して利用者情報及び／又は受信装置情報を情報処理装置に送信し、情報処理装置は、これら利用者情報及び／又は受信装置情報を受信して登録する登録手段を備えることが好ましい。また、記憶手段を着脱可能な記録媒体として、ネットワーク接続装置は、この記録媒体を介して識別情報が付加された副情報を取得してもよい。特に、副情報は文字情報とする。
【００１０】
また、本発明に係る受信装置は、放送局にて送信される主情報と該主情報に付随する副情報とを受信する受信装置において、主情報と識別情報が付加された副情報を受信し、抽出手段にて副情報のうち特定の副情報を抽出し、記憶手段に抽出された特定の副情報を記憶し、転送手段において抽出された特定の副情報及び該副情報に付加される識別情報を他の機器に転送する。ここで記憶手段は、着脱可能な記録媒体であってもよい。
【００１１】
また、本発明に係る情報処理装置は、ネットワークに接続される情報処理装置において、放送局にて送信された主情報と副情報とからなる番組から抽出された特定の副情報に付加された識別情報を受信し、照合手段において、受信した識別情報と放送局にて送信された副情報に付加された識別情報とを照合する。
【００１２】
ここで、登録番号、受信エリア、趣味を含む利用者情報及び／又は受信装置の製造番号を含む受信装置情報が付加されて送信された際には、利用者情報及び／又は受信装置情報を受信し、登録手段に登録するとよい。
【発明の効果】
【００１３】
本発明に係る放送システム、受信装置及び情報処理装置によれば、情報に該情報を特定する識別情報を付加しているので、情報を特定することができる。
【００１４】
また、情報が文字データであることで、保存データの確認が容易である。
【００１５】
さらに、情報に該情報を識別する識別情報を付加しているので、情報の出所を識別させることができる。
【００１６】
さらにまた、識別情報に登録番号、受信エリア、趣味を含む利用者情報及び／又は受信装置の製造番号を含む受信装置情報を付加してネットワーク通信しているので、放送番組側は視聴者の特定や視聴者の特徴等の情報を有効に活用することができる。
【発明を実施するための最良の形態】
【００１７】
本発明の具体例として示す放送システムは、主情報とそれに付随された副情報が放送される番組において、副情報にその情報を特定することができる識別情報を付加し、その識別情報を利用して、視聴者に様々なサービスを提供するようにした放送システムである。
【００１８】
ここでの放送システムは、ディジタル放送や文字多重放送によるものであり、受信装置は、主情報と副情報を視聴者に提供し、副情報と副情報に付加された識別情報とを記憶することができる。この記憶された副情報及び識別情報はネットワーク接続装置としてのいわゆるＰＣ（Personal Computer）に転送することができる。ＰＣはネットワークとしてのインターネットに接続し、情報処理装置である所定のサーバにアクセスする。ＰＣは所定のサーバに副情報に付加された識別情報を送信し、サーバはＰＣから送信された識別情報を放送局から送信された識別情報と照合する。
【００１９】
また、ＰＣが所定のサーバに識別情報を送信する際、登録番号、受信エリア、趣味等を含む利用者情報や受信装置のメーカ番号、モデル番号等を含む受信装置情報を送信する。そして、サーバはこれらの情報を記録、登録する。したがって、例えば、放送番組側は、視聴者の特徴等の集計を取ることが容易にでき、番組作りに役立てることができる。
【実施例】
【００２０】
以下、本発明の好ましい実施の形態について図面を参照しながら詳細に説明する。
【００２１】
図１は、情報通信システムの構成例を示す図である。このシステムは、番組を放送する放送局１と、放送を受信する受信機２と、ネットワーク５に接続するいわゆるＰＣから成るネットワーク接続装置３と、ネットワーク５に接続された情報処理装置であるサーバ４とから構成される。
【００２２】
図１の情報通信システムの適用例としてディジタル放送や文字多重放送における懸賞応募について説明する。放送局１からは文字情報等の付加情報が多重化されて懸賞番組が放送される。また、放送局１は懸賞応募用のサーバ４に懸賞応募ページを提供させる。
【００２３】
受信機２は放送局１から送信された放送データを受信し、応募情報を文字情報として表示する。この受信機２には文字情報保存機能が備えられており、表示された文字情報を記憶することができる。この際、文字情報と共に放送局の情報、文字情報を特定する識別情報を同時に記憶する。また、受信機２は上記記憶した情報を記録媒体やインターフェイスを用いてネットワーク接続装置３に転送することができる。
【００２４】
視聴者は懸賞応募する場合、ネットワーク接続装置３からネットワーク５を介して懸賞応募用のサーバ４に接続し、懸賞に応募する。この際、上記識別情報を送信する。サーバ４は、懸賞応募ページ等のＷｅｂページをブラウザで閲覧可能なHTML（Hyper Text Markup Language）形式、XML（Extensible Markup Language）形式等で提供し、また、ネットワーク接続装置３から送られてきた識別情報と放送局１から送られてきた識別情報との照合や懸賞の抽選、応募回答等の集計を行う。そして、放送番組側はサーバ４により、集計結果等を番組に有効に使うことができる。
【００２５】
このような情報通信システムによれば、ネットワークを介して双方向性の通信をする際、番組情報の出所を識別することができ、また、番組情報を受信した視聴者の特徴等を特定することができる。
【００２６】
なお、図１の構成では放送局１とサーバ４を別の構成としているが、放送局１にサーバ４を含むようにしてもよい。
【００２７】
図２は情報通信システムの構成を示す図である。ここでは、ディジタル放送について説明する。放送局１の送信装置６は、映像、音声、データ等の信号をディジタル化する情報源符号部７と、ディジタル化された信号を統合する多重化部８と、多岐にわたる情報を伝送するための記述子等を付加する伝送制御部９と、誤り訂正符号等を付加し変調する伝送路符号部１０とを備えている。
【００２８】
次に、受信機２を説明する。チューナー１２は複数の放送データが多重化された電波から所定の放送データをアンテナ１１で受信し電気信号に変換する。伝送路復号部１３では、受信した放送データを逆量子化や可変長復号等の処理を施し、放送データを復元する。ＤＥＭＵＸ部１４は、伝送路復号化した状態の放送データを分離し、音声や動画、静止画、テキストの各コンテンツに分離する。分離されたコンテンツは各復号部１５〜１８で復号される。音声復号部１５で復号された信号はＤ／Ａ変換器１９でアナログ信号に変換され、アンプ２０Ｌ、２０Ｒで増幅されてスピーカー２０Ｌ、２０Ｒから音声が出力される。動画復号部１６、静止画復号部１７、テキスト復号部１８で復号された信号は表示ドライバ２２を介して表示部２３に表示される。これら一連の動作は、制御部２４が制御している。また、表示部の切り換え等の操作を行う操作入力部２５、文字情報等を他の機器に転送するためのインターフェイス２６や記録媒体２７を備えている。
【００２９】
制御部２４は、ＣＰＵの一時作業メモリとしてＲＡＭを備え、後述する文字情報の保存の際には、受信した文字情報を一時保存する。また、視聴者の文字情報の保存操作に対して、文字情報の抽出制御を行う。
【００３０】
ここで、放送局１から送信される放送データについて説明する。ディジタル放送の伝送方式はMPEG（Moving Picture Experts group）−２システムに準拠したパケット多重方式である。MPEG−２システムには、MPEG−２のビデオやオーディオ、データ等のコンテンツを一つのストリームとしてまとめて伝送するために定められたMPEG−２  TS（Transport Stream）が規定されている（IEC/ISO 13818-1）。このMPEG−２  TSの多重の基本単位は１８８バイト固定長のＴＳパケットである。
【００３１】
図３はMPEG−２  TSの伝送方式のデータフォーマットを示す図である。セクション形式においては、ディジタル放送のコンテンツデータは複数のモジュールから構成され、そのサイズは数十バイトから数百ｋバイトと多様である。これを４ｋバイトのセクション２８に分割し、さらにそのセクション２８を１８８バイトのパケット２９に分割して転送する。ＴＳパケット２９のヘッダ部３０には、パケット同期符号３１とパケット識別子（PID: Packet Identifier）３２のほかに、データ部３３で伝送する信号に関する情報が含まれる。
【００３２】
セクション２８の先頭にはセクションヘッダ３４があり、セクションの種類、バージョン、大きさ、モジュール内でのセクション位置等の情報が含まれている。また、セクション内には記述子３５やセクションが正しく伝送されているかを確認するためのＣＲＣ（Cyclic Redundancy Check）３６等が含まれる。
【００３３】
ディジタル放送のデータには、多岐にわたる情報を伝達するために様々な記述子３５が定義され、この記述子によって様々な情報が付加されている。例えば、番組名、番組の記述等の番組情報はＥＩＴ（Event Information Table）内の記述子群、選局用の情報はＰＡＴ（Program Association Table）、ＰＭＴ（Program Map Table）内の記述子群で定義されている。また、放送局やネットワークの情報はＮＩＴ（Network Information Table）内の記述子群で定義されている。本具体例では、これらＰＡＴ、ＰＭＴ、ＥＩＴ等に記述される情報を識別情報として使用する。これらは受信機が解釈して選局及びサービスの選択に使用し、視聴者には提示されない情報であり、一方、ＥＩＴはユーザへの提示を想定した情報である。これらの情報は送信機６の伝送制御部９で付加される。
【００３４】
次に、番組に付加された文字情報の保存について、図４を参照にして説明する。受信した文字情報を受信機２の記録媒体２７に記憶する際、文字情報と共に、放送局の情報、文字情報を特定する情報を同時に記憶する。図４の例では放送局を特定する情報としてサービス番号、文字情報を特定する情報として保存日時、バージョン番号が保存されている。このサービス番号及びバージョン番号は視聴者に提示しなくてもよい情報であり、文字情報の識別情報として用いることができる。
【００３５】
サービス番号は、放送局、番組を特定するものであり、ＰＭＴ内に記述されている。保存情報は、ＴＯＴ（Time Offset Table）で送出される時間情報を利用することができる。バージョン番号は、セクション２８のバージョン番号であり、０から６３までの数字が繰り返し用いられる。
【００３６】
このように文字情報と共に識別情報を保存すれば、文字情報の出所を明確にすることができ、文字情報を容易に特定することができる。さらに、ここでは図示されていないが、ＮＩＴ内のネットワークＩＤをネットワーク、放送局を識別する情報として用いることができる。
【００３７】
なお、図４はディジタル放送における文字情報の保存について示しているが、例えば、ＦＭ文字多重放送にも適用できる。ＦＭ文字多重放送のデータグループは、データグループデータで１ページ分の番組データを送出しており、そのデータのヘッダ部には識別符号、番組番号、内容更新フラグ、ページ総数、情報種別、表示フォーマット等の情報が含まれているので、これらの情報を識別情報として用いることができる。
【００３８】
また、画像データに識別情報を付加するようにしてもよい。例えば、懸賞におけるシールのようなものを集める応募では有効な方法である。
【００３９】
以下、図５、６及び７を用いて、文字情報の保存又は削除について説明する。図５は、文字情報を保存する際の受信機２の画面例であり、図６及び７は、文字情報の保存及び削除を説明するフローチャートである。例えば、番組の懸賞応募として画面５−１に示すような文字情報を受信し（ステップＳ６−１）、問題が受信機２に表示される。その後、問題の回答の選択肢である画面５−２及び５−３が順次表示される（ステップＳ６−２）。放送データには受信機２のＲＡＭ等に一時、文字情報を保存するように制御する信号が付加されており、ＲＡＭ等に画面５−１、５−２及び５−３の文字情報が保存される（ステップＳ６−３）。そして、視聴者は、受信機２の操作キーでＲＡＭ等に格納された文字情報を読み出して選択する（ステップＳ６−４）。保存させる情報を選択後、保存の確認を促す画面５−４、５−５を表示し（ステップＳ６−５）、文字情報を記録媒体２７に保存する（ステップＳ６−６）。保存させたデータは上述した図４のテーブルのように記憶される。
【００４０】
また、記録媒体２７に記録された情報を削除する際には、受信機の操作部で記録媒体２７に保存させたデータを呼出し（ステップＳ７−１）、呼出画面５−６を表示させる（ステップＳ７−２）。視聴者は、受信機２の操作キーで削除させる文字情報を選択する（ステップＳ７−３）。削除する情報を選択後、削除の確認を促す画面５−７が表示し（ステップＳ７−４）、情報を記録媒体２７から削除する（ステップＳ７−５）。
【００４１】
次に、識別情報をネットワーク接続装置３、例えば、いわゆるＰＣを用いてネットワーク５上の懸賞応募用のサーバ４に送信することについて説明する。受信機２からＰＣへの識別情報の転送は、インターフェイス２６や記録媒体２７を用いて行われる。また、ＰＣは、キーボード等の入力手段により、識別情報にさらに受信機情報や利用者情報を加える。そして、保存情報、受信機情報、利用者情報、改ざん防止用の情報等を合わせてパッケージとして懸賞応募用のサーバ４に送信する。
【００４２】
受信機情報は、機器メーカ情報、モデル番号、受信機のソフトウェアバージョン等を用い、利用者情報は、受信エリア、住所、趣味、登録会員番号、ニックネーム等を用いる。また、改ざん防止用の情報は、インターネットで使用されているメッセージダイジェストと呼ばれる方法や３２ビット程度のＣＲＣ等を用いる。そして、これらの情報をまとめてパッケージとする具体的手法としては、ＷＡＶファイル、ＰＮＧファイルなどで使用されているＣｈｕｎｋ形式がある。
続いて、サーバ４での情報処理において図８及び９を用いて説明する。図８は、懸賞応募用のサーバ４に接続されたＰＣの表示画面例である。また、図９は、サーバの情報処理を説明するフローチャートである。
【００４３】
懸賞応募用のサーバ４は、ネットワーク接続装置３であるいわゆるＰＣに接続される（ステップＳ９−１）。そして、懸賞応募ページ等のＷｅｂページをブラウザで閲覧可能な形式で提供する（ステップＳ９−２）。視聴者は、ＰＣの表示画面８−１等に従い、識別情報を含む保存情報、受信機情報、利用者情報、改ざん防止用の情報等が合わせられたパッケージデータをサーバ４に送信する。サーバ４は、これらのパッケージデータを受信し（ステップＳ９−３）、放送局１から送信された識別情報と受信機２で受信された識別情報とを照合する（ステップＳ９−４）。また、サーバ４は、受信機情報や利用者情報等を登録する記憶領域を持っており、受信機情報や利用者情報等を記憶、登録する（ステップＳ９−５）。そして、放送局１の番組制作者は、この記憶された情報を集計して有効に利用することができる。
【００４４】
また、すでに当該番組の懸賞に応募済みで、さらに懸賞応募しようとした場合、懸賞応募用のサーバ４は、応募済みの画面８−２を提供して、すでに応募した内容を取り消すか否かを視聴者に確認する。取り消しすれば、新たに懸賞の応募をすることができる。
【００４５】
本発明によれば、受信機は双方向機能を持たなくても、パソコンへのデータ転送機能とすでに受信機の基本機能として持っている文字情報保存機能を用い、手軽に番組の懸賞に応募できる。
【００４６】
また、放送局側は電子データで懸賞の回答を受付できるので、効率よく視聴者情報が集計できる。
【産業上の利用可能性】
【００４７】
なお、本発明は上述した実施の形態のみに限定されるものではなく、本発明の要旨を逸脱しない範囲において種々の変更が可能であることは勿論である。例えば、上述の実施の形態では、懸賞番組の懸賞応募として説明したが、これに限定されるものではなく、ショッピング番組における優先販売等、視聴者に様々なサービスを提供することが可能となる。
【図面の簡単な説明】
【００４８】
【図１】放送システムの概略を示す図である。
【図２】上記放送システムにおける送信送置及び受信機の構成を示す図である。
【図３】MPEG−２  TSの伝送方式のデータフォーマットを示す図である。
【図４】受信機の記録媒体の情報管理を説明する図である。
【図５】文字情報を保存又は削除する際の受信機の表示画面例を示す図である。
【図６】文字情報の保存を説明するフローチャートである。
【図７】文字情報の削除を説明するフローチャートである。
【図８】サーバと通信した際のＰＣの表示画面例を示す図である。
【図９】サーバの情報処理を説明するフローチャートである。
【符号の説明】
【００４９】
１    放送局、  ２    受信機、  ３    ネットワーク接続装置、  ４    サーバ、  ５    ネットワーク、  ６    送信装置、  ７    情報源符号部、  ８    多重化部、  ９    伝送制御部、  １０    伝送路符号部、  １１    アンテナ、  １２    チューナ、  １３    伝送路復号部、  １４    ＤＥＭＵＸ部、  １５    音声復号部、  １６    動画復号部、  １７    静止画復号部、  １８    テキスト復号部、  １９    Ｄ／Ａ変換部、  ２０    アンプ、  ２１    スピーカー、  ２２    表示ドライバ、  ２３    表示部、  ２４    制御部、  ２５    操作入力部、  ２６    インターフェイス、  ２７    記録媒体、  ２８    セクション、  ２９    ＴＳパケット、  ３０    ヘッダ部、  ３１    パケット同期符号、  ３２    パケット識別子、  ３３    データ部、  ３４    セクションヘッダ、  ３５    記述子、  ３６    ＣＲＣ
【図１】
2005045617.tif 000003
【図２】
2005045617.tif 000004
【図３】
2005045617.tif 000005
【図４】
2005045617.tif 000006
【図５】
2005045617.tif 000007
【図６】
2005045617.tif 000008
【図７】
2005045617.tif 000009
【図８】
2005045617.tif 000010
【図９】
2005045617.tif 000011